(57)【特許請求の範囲】
【請求項１】
位置情報を取得する位置情報取得部と、
外部装置との間で近距離無線通信による接続を確立し、前記外部装置と無線通信する近距離無線通信部と、
前記近距離無線通信部が前記外部装置との接続を確立できない場合、過去に記憶した接続結果に基づいてユーザ操作を伴う所定の確認画面を表示するか否かを判定する制御部とを備え、
前記制御部は、
前記近距離無線通信部が接続を確立できたか否かを示す接続結果を、前記位置情報取得部が取得した位置情報と対応付けて記憶する接続結果記憶部と、
前記近距離無線通信部が接続を確立できない場合、前記接続結果記憶部が記憶した接続結果に基づいて、ユーザ操作を伴う所定の確認画面を表示するか否かを判定する確認画面表示判定部と、
前記確認画面表示判定部が前記確認画面を表示すると判定した場合、ユーザに対して前記確認画面を表示する情報を生成する確認画面表示情報生成部とを有し、
前記制御部は、前回の接続結果が接続を確立できた旨を示し、かつ今回の接続結果が接続を確立できなかった旨を示す場合は前記確認画面を表示すると判定して前記確認画面を表示させ、前回の接続結果及び今回の接続結果の双方が接続を確立できなかった旨を示す場合は前記確認画面を表示しないと判定する電子装置。
【請求項２】
前記確認画面表示判定部は、前回の接続結果が接続を確立できなかった旨を示す場合、前記位置情報取得部が取得した位置情報と、前記接続結果記憶部が記憶した位置情報とが一致するか否かを判定し、一致しないと判定した場合、前記確認画面を表示しないと判定する請求項１に記載の電子装置。
【請求項３】
前記確認画面表示判定部は、前記位置情報取得部が取得した位置情報と、前記接続結果記憶部が記憶した位置情報とが一致すると判定した場合、前記確認画面を表示すると判定する請求項２に記載の電子装置。
【請求項４】
前記確認画面表示判定部は、前記近距離無線通信部が連続して接続の確立に失敗した場合、前記接続結果記憶部が記憶した、連続する接続の確立の失敗のうちで最初に接続の確立に失敗したときに前記位置情報取得部が取得した位置情報を参照し、前記位置情報が一致するか否かを判定する請求項２又は３に記載の電子装置。
【請求項５】
前記接続結果記憶部は、前回の接続結果が接続を確立できた旨を示し、かつ今回の接続結果が接続を確立できなかった旨を示す場合、前記位置情報を前記接続結果に対応付けて記憶する請求項１から４何れか１項に記載の電子装置。
【請求項６】
電子装置と近距離無線通信機能を有する外部装置との間で近距離無線通信による接続の確立を試み、
接続を確立できたか否かを示す接続結果を、前記電子装置の位置情報と対応付けて記憶し、
接続が確立できない場合で、かつ前回の接続において接続が確立できた旨を示す接続結果が記憶されていた場合、ユーザ操作を伴う所定の確認画面を表示し、
接続が確立できない場合で、かつ前回の接続において接続が確立できなかった旨を示す接続結果が記憶されていた場合、前記確認画面の表示を行わない電子装置の制御方法。
【発明の詳細な説明】
【技術分野】
【０００１】
本発明は、電子装置及びその制御方法に関し、更に詳しくは、外部装置との間で近距離無線通信を行う電子装置、及びそのような電子装置の制御方法に関する。
【背景技術】
【０００２】
特許文献１は、Ｂｌｕｅｔｏｏｔｈ（登録商標）に基づく車載装置と携帯電話端末との自動ペアリングシステムを開示する。車載装置は、プロセッシングユニットと、車載Ｂｌｕｅｔｏｏｔｈモジュールとを有する。プロセッシングユニットは、自動車のイグニッションがオンになると、車載ＢｌｕｅｔｏｏｔｈモジュールのＢｌｕｅｔｏｏｔｈ機能をオンにする。また、プロセッシングユニットは、リモートサーバ経由で携帯電話端末のＢｌｕｅｔｏｏｔｈ機能をオンする。携帯電話端末は、Ｂｌｕｅｔｏｏｔｈ機能がオンになると、車載Ｂｌｕｅｔｏｏｔｈモジュールにペアリング要求を送信する。車載Ｂｌｕｅｔｏｏｔｈモジュールがペアリング要求に応答することで、車載Ｂｌｕｅｔｏｏｔｈモジュールと携帯電話端末とが自動的にペアリングされる。
【先行技術文献】
【特許文献】
【０００３】
【特許文献１】特表２０１６−５０４７７７号公報
【発明の概要】
【発明が解決しようとする課題】
【０００４】
ここで、特許文献１において、ペアリングされている車載Ｂｌｕｅｔｏｏｔｈモジュールと携帯電話端末との接続は常に成功するとは限らず、接続に失敗するケースもあり得る。接続に失敗する要因としては、例えば電波状況などに起因する偶発的なものが考えられる。また、接続に失敗する要因として、そもそもユーザが携帯電話端末を自動車に持ち込まなかった場合も考えられる。
【０００５】
接続に失敗した場合、車載装置は、確認画面を表示してユーザに接続動作の継続の有無を入力させる場合がある。ユーザは、確認画面において接続動作の継続を指示することができ、その場合、接続動作が再度実施される。接続に失敗する要因が偶発的なものである場合は、接続をやり直すことで、車載Ｂｌｕｅｔｏｏｔｈモジュールと携帯電話端末とを正常に接続させることができる場合がある。しかしながら、ユーザが携帯電話端末を自動車に持ち込まなかった場合は、接続動作を何度やり直しても、接続に成功することはない。従って、その場合、ユーザは、接続動作を継続しない旨を指示することとなると考えられる。
【０００６】
上記状況において、ユーザが携帯電話端末を所持せずに、自動車で複数の地点間を移動する場合を考える。その場合、ユーザは携帯電話端末を所持していないため、ユーザが自動車に乗り込んで移動するたびに接続が失敗する。その場合において、ユーザが自動車を運転するたびに接続動作の継続の有無の入力が求められると、ユーザがわずらわしく感じるという問題がある。
【０００７】
本発明は、上記事項に鑑み、ユーザのわずらわしさを軽減し、それによりユーザの利便性を向上できる電子装置及びその制御方法を提供することを目的の１つとする。
【課題を解決するための手段】
【０００８】
上記目的を達成するために、本発明は、外部装置との間で近距離無線通信による接続を確立し、前記外部装置と無線通信する近距離無線通信部と、前記近距離無線通信部が前記外部装置との接続を確立できない場合、過去に記憶した接続結果に基づいてユーザ操作を伴う所定の確認画面を表示するか否かを判定する制御部とを備え、前記制御部は、前回の接続結果が接続を確立できた旨を示し、かつ今回の接続結果が接続を確立できなかった旨を示す場合は前記確認画面を表示すると判定して前記確認画面を表示させ、前回の接続結果及び今回の接続結果の双方が接続を確立できなかった旨を示す場合は前記確認画面を表示しないと判定する電子装置を提供する。
【０００９】
本発明は、また、電子装置と近距離無線通信機能を有する外部装置との間で近距離無線通信による接続の確立を試み、接続を確立できたか否かを示す接続結果を記憶し、接続が確立できない場合で、かつ前回の接続において接続が確立できた旨を示す接続結果が記憶されていた場合、ユーザ操作を伴う所定の確認画面を表示し、接続が確立できない場合で、かつ前回の接続において接続が確立できなかった旨を示す接続結果が記憶されていた場合、前記確認画面の表示を行わない電子装置の制御方法を提供する。
【発明の効果】
【００１０】
本発明の電子装置及びその制御方法は、ユーザのわずらわしさを軽減し、それによりユーザの利便性を向上することができる。
【図面の簡単な説明】
【００１１】
【図１】発明の一実施形態に係る電子装置と外部装置とを示す。
【図２】電子装置とそれを搭載する車両とを模式的に示すブロック図。
【図３】電子装置の制御部内に構成される機能ブロックの一例を示すブロック図。
【図４】電子装置における動作手順を示すフローチャート。
【図５】ＢＴ自動継続確認における表示画面例を示す図。
【図６】ステップＡ３の判定の処理手順を示すフローチャート。
【図７】接続結果記憶部が記憶する接続結果の一例を示す図。
【図８】接続結果記憶部が記憶する接続結果の別の例を示す図。
【図９】車両の移動とＢＴ自動接続継続確認表示の有無とを示す図。
【発明を実施するための形態】
【００１２】
以下、図面を参照しつつ、本発明の実施の形態を詳細に説明する。図１は、本発明の一実施形態に係る電子装置と外部装置とを示す。電子装置１０は、本実施形態に関連する機能ブロックとして、制御部１１、通信部１２、位置情報取得部１３、記憶部１４、表示部１５、及び操作部１６を有する。外部装置（携帯装置）２０は、本実施形態に関連する機能ブロックとして、制御部２１、通信部２２、表示部２３、及び操作部２４を有する。
【００１３】
電子装置１０は、例えば自動車などの車両に搭載される車載装置として構成される。携帯装置２０は、例えばユーザが持ち運び可能な携帯型の装置として構成される。携帯装置２０は、例えば携帯電話機、スマートフォン、タブレット、又は携帯音楽プレーヤなどの装置として構成され得る。電子装置１０及び携帯装置２０は、近距離無線通信機能を有している。
【００１４】
図２は、電子装置とそれを搭載する車両とを示す。電子装置１０は、例えばカーナビゲーション装置であり、車両５０に備え付けられる。電子装置１０と携帯装置２０とは、例えばＢｌｕｅｔｏｏｔｈなどの近距離無線通信規格に従って、近距離無線通信による接続を確立し、無線通信を行う。なお、電子装置１０と携帯装置２０とは、既にペアリングされており、電子装置１０及び携帯装置２０には、互いのペアリング情報が既に登録されているものとする。ユーザが携帯装置２０を所持しないで車両に乗り込んだ場合、電子装置１０は携帯装置２０との間で近距離無線通信による接続を確立できない。
【００１５】
図１に戻り、電子装置１０において、制御部１１は、装置内の各部を制御する。制御部１１は、例えばプロセッサなどのプログラム動作が可能な手段を含む。通信部１２は、近距離無線通信部であり、携帯装置２０との間で近距離無線通信による接続を確立し、携帯装置２０と無線通信を行う。通信部１２は、例えば電子装置１０への電源投入後に携帯装置２０を検索し、携帯装置２０との間で近距離無線通信による接続の確立を試みる。通信部１２は、検索された携帯装置２０との間で認証などを行い、近距離無線通信による接続を確立する。通信部１２は、無線送信機、無線受信機、及びアンテナなどを含み得る。
【００１６】
位置情報取得部１３は、電子装置１０の位置情報を取得する。位置情報取得部１３は、電子装置１０を搭載する車両の位置情報を、電子装置１０の位置情報として取得してもよい。位置情報取得部１３は、例えば複数の人工衛星から送信される電波を受信し、受信した電波に含まれる情報を用いて位置情報を取得する。位置情報取得部１３は、例えば電波を受信するためのアンテナ、及び位置情報を演算するためのプロセッサを含む。位置情報取得部１３が位置を取得するための手段は特に制限されず、位置情報取得部１３は他の手段を用いて位置情報を取得してもよい。
【００１７】
記憶部１４は、各種情報を記憶する。記憶部１４には、例えばＲＡＭ（Random Access Memory）やＲＯＭ（Read Only Memory）などのストレージデバイスが用いられる。表示部１５は、ユーザに各種情報を表示する。表示部１５には、例えばＬＣＤ（Liquid Crystal Display）などの表示デバイスが用いられる。操作部１６は、ユーザ操作を受け付ける部分である。操作部１６は、例えば物理的なボタンや、ロータリーコマンダー、及びポインティングデバイスなどを含み得る。表示部１５と操作部１６とは物理的に分離している必要はなく、電子装置１０において、双方の機能を備えたタッチスクリーンなどが用いられてもよい。
【００１８】
携帯装置２０において、制御部２１は、装置内の各部を制御する。制御部２１は、例えばプロセッサなどのプログラム動作が可能な手段を含む。通信部２２は、電子装置１０との間で近距離無線通信を行う。通信部２２は、無線送信機、無線受信機、及びアンテナなどを含み得る。表示部２３は、ユーザに各種情報を表示する。表示部２３には、例えばＬＣＤなどの表示デバイスが用いられる。操作部２４は、ユーザ操作を受け付ける部分である。操作部２４は、例えば物理的なボタンなどを含み得る。表示部１５と操作部１６として、双方の機能を備えたタッチスクリーンなどが用いられてもよい。
【００１９】
図３は、電子装置１０の制御部１１内に構成される機能ブロックの一例を示す。制御部１１は、接続結果記憶部３１、確認画面表示判定部３２、及び確認画面表示情報生成部３３を有する。制御部１１において、これらの機能ブロックの少なくとも一部は、プロセッサがプログラムに従って動作することで実現され得る。
【００２０】
接続結果記憶部３１は、通信部１２（図１を参照）が携帯装置２０との接続を確立できたか否かを示す接続結果を記憶する。接続結果記憶部３１は、例えば電子装置１０の記憶部１４に接続結果を記憶する。
【００２１】
確認画面表示判定部３２は、通信部１２が携帯装置２０との接続を確立できない場合、接続結果記憶部３１が記憶した接続結果を参照し、ユーザ操作を伴う確認画面を表示するか否かを判定する。ここで、「ユーザ操作を伴う確認画面」の表示とは、例えば、ユーザが電子装置１０に対して何らかのアクションを行うことで消すことができる画面表示を意味する。確認画面表示判定部３２は、前回の接続結果が接続を確立できた旨を示し、かつ今回の接続結果が接続を確立できなかった旨を示す場合は、確認画面を表示すると判定する。一方、確認画面表示判定部３２は、前回の接続結果及び前回の接続結果の双方が接続を確立できなかった旨を示す場合は、確認画面を表示しないと判定する。
【００２２】
確認画面表示情報生成部３３は、確認画面表示判定部３２において確認画面を表示すると判定された場合に、確認画面の表示を行うための情報を生成し、表示部１５に出力する。表示部１５は、確認画面表示情報生成部３３で生成された確認画面表示を表示する。確認画面表示情報生成部３３は、例えば接続動作を継続するか否かの確認を求める確認画面を表示部１５に表示させる。より詳細には、確認画面表示情報生成部３３は、例えば表示部１５に接続動作を継続するか否かを示すメッセージを表示させ、ユーザに確認を求める。
【００２３】
確認画面表示情報生成部３３は、表示部１５に確認ダイアログなどを表示させ、ユーザに接続の確立動作を継続するか否かを示す情報の入力を促してもよい。ユーザは、操作部１６を用いて、接続の確立動作を継続するか否かを示す情報を入力する。制御部１１は、ユーザが接続の確立動作を継続する旨を示す情報を入力した場合、通信部１２に対して接続の確立動作の実施を指示する。通信部１２は、この指示を受けると、携帯装置２０との間で近距離無線通信による接続の確立を再度試みる。
【００２４】
接続結果記憶部３１は、接続結果を、位置情報取得部１３が取得した位置情報と対応付けて記憶してもよい。接続結果記憶部３１は、例えば、前回の接続結果が接続を確立できた旨を示し、かつ今回の接続結果が接続を確立できなかった旨を示す場合、位置情報を記憶してもよい。その場合、接続結果記憶部３１は、接続結果が接続を確立できた旨から接続を確立できなかった旨に変化するときの位置を示す位置情報を記憶する。別の言い方をすると、接続結果記憶部３１は、最初に接続が確立できなくなった位置を示す位置情報を記憶する。
【００２５】
確認画面表示判定部３２は、前回の接続結果が接続を確立できなかった旨を示す場合、位置情報取得部１３が取得した位置情報と、接続結果記憶部３１が記憶した位置情報とが一致するか否かを判定する。確認画面表示判定部３２は、例えば、通信部１２が連続して接続の確立に失敗する場合は、接続結果記憶部３１が記憶した、連続する接続の確立の失敗のうちで最初に接続の確立に失敗したときの位置を示す位置情報を参照し、位置情報が一致するか否かを判定してもよい。確認画面表示判定部３２は、位置情報が一致しないと判定した場合は、確認画面を表示しないと判定してもよい。確認画面表示判定部３２は、位置情報が一致すると判定した場合は、確認画面を表示すると判定してもよい。
【００２６】
図４は、電子装置１０における動作手順を示す。なお、以下では、主に近距離無線通信がＢｌｕｅｔｏｏｔｈである例を説明する。ユーザが車両５０（図２を参照）に乗り込み、イグニッションをオンにすると、制御部１１（図１を参照）は、通信部１２に携帯装置２０との接続の確立を指示する。通信部１２は、ＢＴ（Bluetooth）自動接続を実施し（ステップＡ１）、携帯装置２０との間でＢｌｕｅｔｏｏｔｈによる接続の確立を試みる。ステップＡ１のＢＴ自動接続は、例えばユーザが車両を始動するたびに実施される。
【００２７】
通信部１２は、携帯装置２０との接続の確立に成功すると、その旨を制御部１１に通知する。通信部１２は、携帯装置２０との接続の確立に失敗した場合は、その旨を制御部１１に通知する。制御部１１は、通信部１２が接続の確立に成功したか否かを判断する（ステップＡ２）。別の言い方をすると、制御部１１は、電子装置１０と携帯装置２０とがＢＴ自動接続で接続されたか否かを判断する。
【００２８】
制御部１１の接続結果記憶部３１（図３を参照）は、ステップＡ２で接続の確立に成功したと判断されると、通信部１２の接続結果（接続成功）を記憶する（ステップＡ７）。接続結果記憶部３１は、ステップＡ７では、位置情報取得部１３から位置情報を取得し、接続に成功した位置の位置情報を記憶する。ステップＡ７を実行するタイミングは任意であり、接続結果記憶部３１は、例えば電子装置１０の電源が切断されるときに、接続結果を記憶してもよい。
【００２９】
確認画面表示判定部３２は、ステップＡ２で接続の確立に失敗したと判断されると、確認画面を表示するか否かを判定する（ステップＡ３）。ステップＡ３の詳細については後述する。
【００３０】
確認画面表示判定部３２は、ステップＡ３の判定結果を確認画面表示情報生成部３３に通知する。確認画面表示情報生成部３３は、ステップＡ３で確認画面表示判定部３２が確認画面を表示すると判定したか否かを判断する（ステップＡ４）。確認画面表示情報生成部３３は、確認画面表示判定部３２が確認画面を表示すると判定した場合、表示部１５にＢＴ自動接続継続確認を表示させる（ステップＡ５）。ユーザは、確認画面が表示されることで、接続の確立に失敗していることに気づくことができる。このとき確認画面表示情報生成部３３は、ＢＴ自動接続継続確認において、ユーザに、ＢＴ自動接続を継続するか否かを示す情報の入力を促す。
【００３１】
図５は、ステップＡ５の表示画面例を示す。確認画面表示情報生成部３３は、ステップＡ５では、例えば「Ｂｌｕｅｔｏｏｔｈ接続を継続しますか？」といった文字列と、「ＹＥＳ」又は「ＮＯ」を選択させるボタンとを含むダイアログを、ＢＴ自動接続継続確認として表示部１５に表示させる。例えば、ユーザが携帯装置２０を所持せずに車両に乗り込んでいる場合、ＢＴ自動接続を継続しても接続に成功することはない。この場合、ユーザは、例えばタッチスクリーン上で「ＮＯ」を選択する。一方、ユーザが携帯装置２０を所持して車両に乗り込んでいる場合は、ＢＴ自動接続を継続することで接続に成功することが見込める。その場合、ユーザは、例えばタッチスクリーン上で「ＹＥＳ」を選択する。
【００３２】
制御部１１は、ＢＴ自動接続を継続するか否かを判断する（ステップＡ６）。制御部１１は、例えばＢＴ自動接続継続確認において、ユーザが「ＹＥＳ」を選択した場合、ＢＴ自動接続を継続すると判断する。制御部１１は、ＢＴ自動接続を継続すると判断した場合、通信部１２に携帯装置２０との接続の確立を指示する。この場合、処理はステップＡ１に戻り、通信部１２は、ＢＴ自動接続を実施する。
【００３３】
制御部１１は、ＢＴ自動接続継続確認においてユーザが「ＮＯ」を選択した場合、ＢＴ自動接続を継続しないと判断する。ＢＴ自動接続を継続しないと判断された場合、処理はステップＡ７に進み、接続結果記憶部３１は、通信部１２の接続結果（接続失敗）を記憶する。このとき、接続結果記憶部３１は、位置情報取得部１３から位置情報を取得し、接続の確立に失敗した位置の位置情報を記憶する。ステップＡ４で確認画面を表示しないと判断された場合も、処理はステップＡ７に進み、接続結果記憶部３１は、通信部１２の接続結果（接続失敗）と位置情報とを記憶する。
【００３４】
図６は、ステップＡ３の判定の処理手順を示す。確認画面表示判定部３２は、接続結果記憶部３１が記憶した前回の接続結果を参照し（ステップＢ１）、前回の接続結果が接続成功であるか否かを判断する（ステップＢ２）。確認画面表示判定部３２は、ステップＢ２で前回の接続結果が接続成功であると判断した場合、確認画面を表示すると判定する（ステップＢ３）。
【００３５】
確認画面表示判定部３２は、ステップＢ２で前回の接続結果が接続失敗と判断した場合、接続結果記憶部３１から最初に接続に失敗した位置の位置情報を取得する（ステップＢ４）。また、確認画面表示判定部３２は、位置情報取得部１３から現在の位置情報を取得する。確認画面表示判定部３２は、現在の位置情報と、ステップＢ４で取得した位置情報と比較し、ステップＢ４で取得した位置情報が現在位置に一致するか否かを判断する（ステップＢ５）。確認画面表示判定部３２は、ステップＢ５では、例えば現在の位置情報とステップＢ４で取得した位置情報との差が所定距離以内であれば、両者は一致すると判断してよい。
【００３６】
確認画面表示判定部３２は、ステップＢ５で２つの位置情報が一致しないと判断した場合、確認画面を表示しないと判定する（ステップＢ６）。確認画面表示判定部３２は、ステップＢ５で一致すると判断した場合は、ステップＢ３へ進み、確認画面を表示すると判定する。確認画面表示判定部３２は、判定結果を、確認画面表示情報生成部３３に通知する。
【００３７】
以下、具体例を用いて、電子装置１０における動作を説明する。図７は、接続結果記憶部３１が記憶する接続結果の一例を示す。例えば、最初、バックアップである過去（前回）の接続結果として、接続成功を示す接続結果「ＯＫ」が、「地点Ａ」の位置情報と対応付けて記憶されていたとする。その場合において、地点Ａにおいて、図４に示す手順でＢＴ自動接続が開始され、図４のステップＡ２において接続に失敗したと判断された場合を考える。この場合、今回（最新）の接続結果は接続失敗を示す「ＮＧ」であり、位置情報は「地点Ａ」となる。
【００３８】
確認画面表示判定部３２は、図６に示す手順で、確認画面（ＢＴ自動接続継続確認）を表示するか否かを決定する。確認画面表示判定部３２は、図６のステップＢ１で前回の接続結果「ＯＫ」を参照し、ステップＢ２で前回は接続に成功していると判断する。その場合、確認画面表示判定部３２は、ステップＢ３に進み、確認画面を表示すると判定する。確認画面表示判定部３２が確認画面を表示すると判定すると、確認画面表示情報生成部３３は、図４のステップＡ５でＢＴ自動接続継続確認表示を行う。ユーザがＢＴ自動接続継続確認表示（図５を参照）において「ＮＯ」を選択した場合、接続結果記憶部３１は、ステップＡ７において、接続結果「ＮＧ」と「地点Ａ」と対応付け、バックアップの接続結果として記憶する。
【００３９】
図８は、接続結果記憶部３１が記憶する接続結果の別の例を示す。ここでは、バックアップの接続結果として、接続失敗を示す接続結果「ＮＧ」が、「地点Ａ」の位置情報と対応付けて記憶されていたとする。地点Ａとは異なる地点Ｂにおいて、図４に示す手順でＢＴ自動接続が開始され、図４のステップＡ２において接続に失敗したと判断された場合を考える。この場合、今回（最新）の接続結果は接続失敗を示す「ＮＧ」であり、位置情報は「地点Ｂ」となる。
【００４０】
確認画面表示判定部３２は、図６に示す手順で、ＢＴ自動接続継続確認表示を行うか否かを決定する。確認画面表示判定部３２は、図６のステップＢ１で前回の接続結果「ＮＧ」を参照し、ステップＢ２で前回も接続に失敗していると判断する。その場合、確認画面表示判定部３２は、ステップＢ４に進み、「地点Ａ」を、最初に接続に失敗した位置の位置情報として取得する。
【００４１】
確認画面表示判定部３２は、現在の位置情報「地点Ｂ」と取得した位置情報「地点Ａ」とを比較し、ステップＢ５において、２つの位置情報が一致しないと判断する。その後、確認画面表示判定部３２は、ステップＢ６へ進み、ＢＴ自動接続継続確認表示を行わないと判定する。この場合、図４において処理はステップＡ４からステップＡ７へ進み、接続結果記憶部３１は、今回の接続結果を記憶する。このとき、接続結果記憶部３１は、バックアップの接続結果が「ＯＫ」であるか否かを調べる。接続結果記憶部３１は、バックアップの接続結果が「ＯＫ」であり、かつ最新の接続結果が「ＮＧ」の場合のみ、バックアップの位置情報を最新の位置情報で更新する（上書きする）。接続結果記憶部３１は、バックアップの接続結果が「ＮＧ」の場合は、位置情報の更新は行わない。このようにすることで、最初に接続結果が「ＮＧ」になった位置情報が保存される。上記の場合、バックアップの接続結果が「ＮＧ」であるため、最初に接続結果が「ＮＧ」になった位置情報「地点Ａ」は現在の位置情報「地点Ｂ」で上書きされず、保存される。
【００４２】
図９は、車両の移動とＢＴ自動接続継続確認表示の有無とを示す。図９において、縦軸は時間経過を表している。例えば地点Ａは自宅の駐車場又は自宅付近の駐車場であり、地点Ｂはユーザの立ち寄り先、地点Ｃは別の立ち寄り先であるとする。通常、ユーザは、携帯装置２０を所持して車両５０に乗り込んでおり、車両５０に搭載される電子装置１０（図２などを参照）は携帯装置２０と接続に成功しているものとする。つまり、接続結果記憶部３１（図３を参照）は、接続結果「ＯＫ」を記憶しているものとする。
【００４３】
時刻ｔ１で、ユーザが地点Ａにおいて車両５０に乗り込み、地点Ｂへの移動を開始したとする。電子装置１０は、地点Ａにおいて携帯装置２０とのＢＴ自動接続を実施する。しかし、ユーザは、自宅である地点Ａの周辺施設に携帯装置２０を置き忘れてきており、電子装置１０は携帯装置２０との接続に失敗したとする。確認画面表示判定部３２は、前回の接続結果が「ＯＫ」であるため、ＢＴ自動接続継続確認を表示すると判定する。ユーザは、ＢＴ自動接続継続確認が表示されることで、電子装置１０が携帯装置２０との接続に失敗したことを知る。ユーザは、接続に失敗した原因が、自宅に携帯装置２０を置き忘れていることであると認識し、ＢＴ自動接続を継続しない旨を入力する。この場合、接続結果記憶部３１は、接続結果「ＮＧ」と位置情報「地点Ａ」とを記憶する。
【００４４】
ユーザは、１つ目の立ち寄り先である地点Ｂにおいてイグニッションをオフにし、車両５０から下車する。その後、ユーザは、時刻ｔ２で車両５０に乗り込み、地点Ｃへの移動を開始する。電子装置１０は、地点Ｂにおいて携帯装置２０とのＢＴ自動接続を試みるものの、車両５０内に携帯装置２０が存在しないため、携帯装置２０との接続に失敗する。確認画面表示判定部３２は、前回の地点Ａにおける接続結果を参照し、前回の接続結果が「ＮＧ」である判断する。その場合、確認画面表示判定部３２は、前回の位置情報「地点Ａ」と今回の位置情報「地点Ｂ」とを比較する。確認画面表示判定部３２は、位置情報が異なるため、ＢＴ自動接続継続確認を表示しないと判定する。この場合、ＢＴ自動接続は終了する。
【００４５】
ユーザは、地点Ａにおいて既にＢＴ自動接続を継続しない旨を入力しており、また、接続に失敗する要因が携帯装置２０を自宅に置き忘れてきていることであることも知っている。仮に、地点Ｂにおいても、ＢＴ自動継続確認が表示されるとすると、ユーザは、地点Ｂにおいて、地点Ａと同じ要因で接続に失敗することを知っているにもかかわらず、再度、地点ＢにおいてＢＴ自動接続を継続しない旨を入力しなければならない。本実施形態では、前回の接続結果及び今回の接続結果が共に接続失敗であり、かつ位置情報が異なる場合はＢＴ自動接続継続確認が表示されない。このようにすることで、前回と同じ要因で接続に失敗する場合に、ユーザは再度ＢＴ自動接続を継続するか否かを選ぶ必要がなくなり、ユーザのわずらわしさが軽減される。
【００４６】
ユーザが本当は携帯装置２０を置き忘れていなかった場合、ユーザは、地点Ａにおいて接続に失敗した後、手動で通信部１２と携帯装置２０との接続を確立させてもよい。例えば、ユーザは、ＢＴ自動接続による接続の失敗後、地点Ａから地点Ｂへの移動中に、操作部１６（図１を参照）を操作し、手動で通信部１２と携帯装置２０とを接続させる。その場合、接続結果記憶部３１は、接続成功を記憶する。その場合において、地点ＢでＢＴ自動接続に失敗した場合には、確認画面表示判定部３２は、ＢＴ自動接続継続確認を表示すると判定してもよい。
【００４７】
ユーザは、２つ目の立ち寄り先である地点Ｃにおいてイグニッションをオフにし、車両５０から下車する。その後、ユーザは、時刻ｔ３で車両５０に乗り込み、地点Ａへの移動を開始する。電子装置１０は、地点Ｃにおいても携帯装置２０とのＢＴ自動接続を試みるものの、携帯装置２０との接続に失敗する。確認画面表示判定部３２は、前回の地点Ｂにおける接続結果を参照し、前回の接続結果が「ＮＧ」である判断する。その場合、確認画面表示判定部３２は、最初に接続結果が「ＮＧ」になった位置情報「地点Ａ」と今回の位置情報「地点Ｃ」とを比較する。確認画面表示判定部３２は、位置情報が異なるため、地点Ｂと同様に、ＢＴ自動接続継続確認を表示しないと判定する。この場合、ＢＴ自動接続は終了する。
【００４８】
ユーザは、自宅付記の地点Ａにおいて、イグニッションをオフにし、車両５０から下車する。その後、ユーザは、時刻ｔ５において、携帯装置２０を所持せずに車両５０に乗り込んだとする。電子装置１０は、携帯装置２０とのＢＴ自動接続を試みるものの、携帯装置２０との接続に失敗する。確認画面表示判定部３２は、前回の地点Ｃにおける接続結果を参照し、前回の接続結果が「ＮＧ」である判断する。その場合、確認画面表示判定部３２は、最初に接続結果が「ＮＧ」になった位置情報「地点Ａ」と今回の位置情報「地点Ａ」とを比較する。確認画面表示判定部３２は、２つの位置情報が一致するため、ＢＴ自動接続継続確認を表示すると判定する。ユーザは、ＢＴ自動接続継続確認が表示されることで携帯装置２０を置き忘れてきていることに気が付き、携帯装置２０を自宅に取りに戻ることができる。あるいは、ユーザは、時刻ｔ１と同様に、ＢＴ自動接続を継続しない旨を入力し、再び地点Ａに戻ってくるまで、ＢＴ自動接続継続確認が表示されないようにしてもよい。
【００４９】
本実施形態では、確認画面表示判定部３２は、通信部１２の前回の接続結果が接続成功を示し、かつ通信部１２の今回の接続結果が接続失敗を示す場合は、確認画面を表示すると判定する。確認画面表示判定部３２は、通信部１２の前回の接続結果及び今回の接続結果の双方が接続失敗を示す場合は、確認画面を表示しないと判定する。例えばユーザが携帯装置２０をどこかに置き忘れていた場合、電子装置１０は、携帯装置２０との接続に毎回失敗することとなる。連続して接続に失敗する場合、ユーザは、携帯装置２０を所持していないことを自覚している場合がある。そのような場合に、電子装置１０への電源投入のたびに確認画面が表示されると、ユーザ操作が必要となり、ユーザはわずらわしく感じることがある。本実施形態では、携帯装置２０との接続に連続して失敗する場合は、確認画面の表示が抑制される。このようにすることで、ユーザのわずらわしさを軽減することができ、それによりユーザの利便性を向上できる。一方で、前回は接続に成功していたのに今回は接続に成功しなかった場合には確認画面の表示を行うことで、ユーザに携帯装置２０を所持していないことなどを気づかせることができる。
【００５０】
特に、本実施形態では、接続結果記憶部３１は、接続結果と位置情報取得部１３が取得した位置情報とを対応付けて記憶する。確認画面表示判定部３２は、前回の接続結果が接続失敗を示す場合には、記憶された位置情報と今回の位置情報とを比較する。確認画面表示判定部３２は、通信部１２が連続して接続に失敗する場合は、連続する接続失敗のうちで最初に接続に失敗したときの位置情報と、今回の位置情報とを比較する。確認画面表示判定部３２は、最初に接続に失敗したときの位置情報と今回の位置情報が一致する場合は確認画面の表示を行うと判定し、一致しない場合は確認画面の表示を行わないと判定する。連続して接続に失敗する場合、携帯装置２０は、最初に接続に失敗した位置の付近に置き忘れられている可能性がある。その場合、ユーザが携帯装置２０が存在する場所に戻るまで、電子装置１０は携帯装置２０との接続に失敗し続けることになる。位置情報が一致しない場合に確認画面の表示を行わない場合、ユーザが最初に接続に失敗した位置に戻ってくるまで、確認画面の表示が抑制されることとなる。このようにすることで、ユーザのわずらわしさが軽減され、それによりユーザの利便性を更に向上することができる。
【００５１】
なお、上記実施形態において、制御部１１は、確認画面を表示することに加えて、又はこれに代えて、ユーザに携帯装置２０との接続の確立に失敗した旨を報知してもよい。その場合において、制御部１１は、例えば、確認画面表示判定部３２において確認画面を表示すると判定された場合は、音声などを用いて接続の確立に失敗している旨を通知した上で、確認画面の表示を行ってもよい。制御部１１は、例えば、確認画面表示判定部３２において確認画面を表示しないと判定された場合は、ユーザへの報知を行わないこととしてもよい。あるいは、制御部１１は、確認画面表示判定部３２において確認画面を表示しないと判定された場合は、例えばユーザがわずらわしく感じない態様で、ユーザに携帯装置２０との接続の確立に失敗した旨を報知してもよい。ユーザがわずらわしく感じない態様による報知には、例えばユーザ操作を伴わない画像表示などが考えられる。
【００５２】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【００５３】
１０：電子装置
１１：制御部
１２：通信部
１３：位置情報取得部
１４：記憶部
１５：表示部
１６：操作部
２０：外部装置
２１：制御部
２２：通信部
２３：表示部
２４：操作部
３１：接続結果記憶部
３２：確認画面表示判定部
３３：確認画面表示情報生成部
５０：車両
【図１】
0006988591.tif 000002
【図２】
0006988591.tif 000003
【図３】
0006988591.tif 000004
【図４】
0006988591.tif 000005
【図５】
0006988591.tif 000006
【図６】
0006988591.tif 000007
【図７】
0006988591.tif 000008
【図８】
0006988591.tif 000009
【図９】
0006988591.tif 000010